(57)【要約】【課題】遮音性、気密性、断熱性に優れていると共に、単純構造で容易に製造できコストが安い換気装置とする。【解決手段】下枠５の換気孔９と換気ユニット１０の流通孔１１で室内と室外を連通する空気流通経路とし、前記流通孔１１に第１流通口１５と第２流通口１６を形成し、その第１流通口１５を開閉する第１蓋体１３に第２流通口１６を開閉する第２蓋体１４を一体的に設け、その第１蓋体１３と第２蓋体１４で第１流通口１５と第２流通口１６を同時に開閉できるようにした換気装置。【選択図】      図４
2005009138.tif 000002
【特許請求の範囲】
【請求項１】
室内と室外を連通する空気流通経路と、この空気流通経路に、流通方向に離隔して設けた第１流通口、第２流通口と、前記第１流通口を開放する位置と閉じる位置とに亘って揺動自在な第１蓋体と、この第１蓋体に、当該第１蓋体と同一方向に揺動するように一体的に設けられ、第１蓋体が開放位置の時に前記第２流通口を開放し、第１蓋体が閉じ位置の時に第２流通口を閉じる第２蓋体と、前記第１流通口と第１蓋体との間を気密する第１気密材と、第２流通口と第２蓋体との間を気密する第２気密材で構成したことを特徴とする換気装置。
【請求項２】
枠材と、この枠材に取付けた換気ユニットを備え、
前記枠材は、換気孔を有し、
前記換気ユニットは、本体の流通孔に、第１流通口と第２流通口を流通方向に離隔して形成し、この本体に第１蓋体を第１流通口を閉じる位置と開放する位置に亘って揺動自在に取付け、この第１蓋体に第２流通口を開閉する第２蓋体を、第１蓋体と同一方向に揺動し第１蓋体が開放位置の時には第２流通口を開放し、閉じ位置の時には第２流通口を閉じるように一体的に設け、前記第１流通口と第１蓋体との間を気密する第１気密材を設けると共に、前記第２流通口と第２蓋体との間を気密する第２気密材を設け、
前記枠材の換気孔と前記本体の流通孔を連通して室内と室外を連通する空気流通経路としたことを特徴とする換気装置。
【発明の詳細な説明】
【０００１】
【発明の属する技術分野】
本発明は、カーテンウオール、サッシ窓などに設けられて室内と室外とに空気を流通する換気装置に関する。
【０００２】
【従来の技術】
特許文献１に、嵌め殺し窓の下枠に、室外に開口した換気口と室内に開口した通気口を形成し、この通気口を開閉する蓋体を取付けた換気装置が開示されている。
この換気装置によれば、蓋体によって通気口を開放することで室内と室外に空気が流通して換気でき、その蓋体を閉じることで室内と室外を遮断できる。
特許文献２には、窓枠の下枠に室外に開口した換気孔を形成すると共に、その下枠に、この換気孔を室内に連通する通風孔と２つの蓋体を備えた換気ユニットを取付け、２つの蓋体で通風孔を開閉するようにした換気装置が開示されている。
この換気装置によれば、２つの蓋体を開放することで換気でき、その２つの蓋体を閉じることで室内と室外を遮断できる。
【０００３】
【特許文献１】
実公平６−２２７９２号公報
【特許文献２】
特開平１１−３３６４４３号公報
【０００４】
【発明が解決しようとする課題】
特許文献１に開示された換気装置は、室内に開口した通気口を１つの蓋体で開閉するので、室内と室外を連通する空気流通経路（通気口と換気口の連通経路）が１つの蓋体で遮断される。
このために、空気流通経路を通して室内と室外に伝わる音、風雨、熱が１つの蓋体によって遮断されるだけであるから、遮音性、気密性、断熱性に劣る換気装置である。
【０００５】
特許文献２に開示された換気装置は、通気孔が２つの蓋体によって開閉されるので、室内と室外を連通する空気流通経路（換気孔と送風孔）が２つの蓋体で遮断されるから、前述した特許文献１に開示された換気装置よりも遮音性、気密性、断熱性が優れた換気装置である。
しかし、特許文献２に開示された換気装置は、２つの蓋体が別々に開閉自在に取付けてあるから、ベルクランク、２つのカム部材を備えた複雑構造の開閉機構によって２つの蓋体を連動して開閉するようにしている。
このために、構造が複雑になり、製造が煩わしく、コストが高い換気装置である。
【０００６】
本発明は前述の課題に鑑みなされたものであって、その目的は、遮音性、気密性、断熱性が優れていると共に、単純構造で容易に製造できてコストが安い換気装置を提供することである。
【０００７】
【課題を解決するための手段】
第１の発明は、室内と室外を連通する空気流通経路と、この空気流通経路に、流通方向に離隔して設けた第１流通口、第２流通口と、前記第１流通口を開放する位置と閉じる位置とに亘って揺動自在な第１蓋体と、この第１蓋体に、当該第１蓋体と同一方向に揺動するように一体的に設けられ、第１蓋体が開放位置の時に前記第２流通口を開放し、第１蓋体が閉じ位置の時に第２流通口を閉じる第２蓋体と、前記第１流通口と第１蓋体との間を気密する第１気密材と、第２流通口と第２蓋体との間を気密する第２気密材で構成したことを特徴とする換気装置である。
【０００８】
第２の発明は、枠材と、この枠材に取付けた換気ユニットを備え、
前記枠材は、換気孔を有し、
前記換気ユニットは、本体の流通孔に、第１流通口と第２流通口を流通方向に離隔して形成し、この本体に第１蓋体を第１流通口を閉じる位置と開放する位置に亘って揺動自在に取付け、この第１蓋体に第２流通口を開閉する第２蓋体を、第１蓋体と同一方向に揺動し第１蓋体が開放位置の時には第２流通口を開放し、閉じ位置の時には第２流通口を閉じるように一体的に設け、前記第１流通口と第１蓋体との間を気密する第１気密材を設けると共に、前記第２流通口と第２蓋体との間を気密する第２気密材を設け、
前記枠材の換気孔と前記本体の流通孔を連通して室内と室外を連通する空気流通経路としたことを特徴とする換気装置である。
【０００９】
【作  用】
第１の発明によれば、第１・第２蓋体で空気流通経路の第１・第２流通口を開放することで室内と室外に空気が流通して換気できる。
前記第１・第２流通口が流通方向に離隔しているので、その第１・第２流通口を第１・第２蓋体で閉じることによって空気流通経路の流通方向に離隔した２ヶ所が遮断されるから、遮音性、気密性、断熱性が優れた換気装置である。
また、第１蓋体に第２蓋体を、第１蓋体と同一方向に揺動するように一体的に設けたので、その第１蓋体を揺動自在に取付ければ良く、単純構造で、容易に製造できてコストが安い換気装置である。
【００１０】
第２の発明によれば、第１・第２蓋体で流通孔の第１・第２流通口を開放することで室内と室外に空気が流通して換気できる。
前記第１・第２流通口が流通方向に離隔しているので、その第１・第２流通口を第１・第２蓋体で閉じることによって流通孔の流通方向に離隔した２ヶ所が遮断されるから、遮音性、気密性、断熱性が優れた換気装置である。
また、第１蓋体に第２蓋体を、第１蓋体と同一方向に揺動するように一体的に設けたので、その第１蓋体を本体に揺動自在に取付ければ良く、単純構造で、容易に製造できてコストが安い換気装置である。
【００１１】
また、枠材に換気孔を形成すると共に、換気ユニットを取付けることで、その枠材に換気装置を設けることができ、カーテンウオールの上枠、下枠、無目やサッシ窓の上枠、下枠、框などに換気装置を簡単に設けることができる。
【００１２】
【発明の実施の形態】
図１、図２、図３に示すように、ユニット式のカーテンウオールを構成するカーテンウオールユニット１は、枠２にパネル３を装着したもので、このカーテンウオールユニット１を図１に仮想線で示すように建物躯体に上下、左右方向に連続して取付けることでユニット式のカーテンウオールを構成する。
前記枠２は、上枠４と下枠５と無目６と左右の縦枠７で上枠部２ａと下枠部２ｂを有する形状で、その上枠部２ａ、下枠部２ｂにパネル３、例えばガラスが装着してあると共に、上枠部２ａの室内寄りに耐火パネル等の目隠しパネル８が装着され、この上枠部２ａが腰部、下枠部ｂが窓部を形成している。
なお、枠２は前述のものに限ることはなく、従来から用いられている種々の枠を用いることができる。
【００１３】
前記下枠５に換気装置が設けてある。
例えば、下枠５に室外に開口した換気孔９を形成し、その換気孔９を室内に開口、遮断する換気ユニット１０を下枠５に取付けて換気装置としてある。
前記換気装置は、無目６、上枠４、縦枠７などに設けても良いし、方立式のカーテンウオールの場合には無目、方立に換気装置を設けても良い。
つまり、カーテンウオールを構成する枠材に換気孔９を形成し、その枠材に換気ユニット１０を取付けて換気装置とする。
【００１４】
前記換気装置の具体例を説明する。
図４に示すように、下枠５は第１部材５ａと第２部材５ｂを備え、その第１部材５ａと第２部材５ｂとの間に換気孔９を形成している。
前記換気孔９は室外に開口していると共に、換気ユニット１０の取付面に開口している。例えば、下枠５の下面５ｃにおける室外寄りと下枠５の室内側面５ｄにそれぞれ開口している。
この実施の形態では、第１部材５ａと第２部材５ｂを左右の縦枠７に上下に離隔して固着することで換気孔９を有する下枠５としている。なお、換気ユニット１０は図３に示すように下枠５の長手方向中間部に取付けてあり、換気孔９の長手方向両側部が室内側に開口するので、プレートなどを取付けて閉塞する。
これに限ることはなく、例えば、第１部材５ａと第２部材５ｂが連結材で間隔を置いて一体に連結された下枠とし、その連結材の長手方向の一部分を切欠き除去して換気孔を有する下枠としても良い。
【００１５】
前記換気ユニット１０は、流通孔１１を有する本体１２と、この本体１２に設けた第１蓋体１３と、その第１蓋体１３に一体的に設けた第２蓋体１４を備え、その第１蓋体１３と第２蓋体１４は流通孔１１における流通方向に離隔して形成した第１・第２流通口１５，１６をそれぞれ開閉する。
前記本体１２が下枠５の室内側面５ｄに取付けられ、その流通孔１１の室外側開口部が下枠５の換気孔９に連通すると共に、流通孔１１の室内側開口部が室内に開口する。
これによって、換気孔９と流通孔１１で室内と室外を連通する空気流通経路を形成している。
【００１６】
なお、換気ユニット１０を設けずに、換気孔９に流通方向に離隔した第１・第２流通口を形成し、下枠５に第１蓋体１３を設けると共に、その第１蓋体１３に第２蓋体１４を設けて換気孔９の流通方向に離隔した第１・第２流通口を開閉するようにしても良い。
つまり、前述したようにカーテンウオールを構成する枠材に室内と室外を連通する空気流通経路を形成し、その空気流通経路の第１流通口を開閉する第１蓋体を設け、この第１蓋体に、第１流通口と流通方向に離隔した第２流通口を開閉する第２蓋体を取付けすれば良い。
また、換気ユニット１０のみで換気装置としても良く、その場合には本体１２の流通孔１１が空気流通経路となる。
【００１７】
次に、前記換気ユニット１０の具体形状を図４〜図６に基づき説明する。
本体１２は、上面１２ａと下面１２ｂと室内側面１２ｃと室外側面１２ｄと左右の端面１２ｅで囲まれた箱形状である。前記流通口１１の一端部が上面１２ａに開口し、他端部が室外側面１２ｄに開口し、流通孔１１は横向き孔１１ａと縦向き孔１１ｂとによってほぼＬ字形状となっている。
前記本体１２の室外側面１２ｄが下枠５の室内側面５ｄに接してボルト１７で固着される。
前記第１蓋体１３は上面１２ａに揺動自在、例えばヒンジ１８で上下揺動自在に取付けられ、下方（一方）に揺動すると第１流通口１５を閉じ、上方（他方）に揺動すると第１流通口１５を開放する。
前記第２蓋体１４は第１蓋体１３に一体に設けてあり、第１蓋体１３が下方に揺動すると同時に下方に揺動して第２流通口１６を閉じ、上方に揺動すると同時に上方に揺動して第２流通口１６を開放する。つまり、第２蓋体１４は第１蓋体１３と同一方向に揺動する。
【００１８】
この実施の形態では、第１蓋体１３と第１流通口１５との間が第１気密材２０で気密され、第２蓋体１４と第２流通口１６との間が第２気密材２１で気密される。
例えば、流通孔１１の第１流通口１５を形成する部分（前述の縦向き孔１１ｂ）における室内側内面と室外側内面に室内側受片２２、室外側受片２３が一体的に設けてあり、左右内面には左右受片２４がビス２５で固着され、この各受片が四周連続して第１流通口１５を形成している。
第１蓋体１３の下面外周縁に沿って第１気密材２０が下向きに装着され、この第１気密材２０が前記各受片に圧接する。
前記流通孔１１の第２流通口１６を形成する部分（前述の横向き孔１１ａ）の下面に下受片２６、左右内面に左右受片２７がそれぞれ一体的に設けてあり、この下受片２６、左右受片２７と前記室外側受片２３は四周連続して第２流通口１６を形成している。
第２蓋体１４の室外側面外周縁に沿って第２気密材２１が室外側に向けて装着され、この第２気密材２１が前記下受片２６、左右受片２７、室外側受片２３に圧着する。
なお、受片側に気密材を装着し、その気密材に第１・第２蓋体１３，１４が圧着するようにしても良い。
【００１９】
前記第１蓋体１３と第２蓋体１４は所定の角度、好ましくは９０度で、第１流通口１５の開口縁（各受片）の向きと第２流通口１６の開口縁（各受片）の向きも第１蓋体１３と第２蓋体１４の角度と同一角度だけずれている。
そして、第１蓋体１３、第２蓋体１４は同一の方向（例えば上方）に揺動することで第１流通口１５、第２流通口１６と離れ、同一の他方向（例えば、下方）に揺動することで第１流通口１５、第２流通口１６に接近する。
これによって、第１・第２気密材２０，２１が圧着して第１・第２流通口１５，１６を確実に気密できる。
【００２０】
この実施の形態では、前記第１・第２蓋体１３，１４は断熱性に優れたものである。
例えば、第１・第２蓋体１３，１４は中空形状で、その中空部に断熱材、例えばグラスウール２８が充填してある。
具体的には、第１蓋体１３は図４、図５に示すように、矩形断面中空長尺材より成る第１蓋体本体３０と、その長手方向両端面に固着した第１端面板３１で中空部３２を有する形状で、その第１蓋体本体３０の両側下部と第１端面板３１の下部に第１気密材装着部３３（例えば、あり溝）を有し、この各第１気密材装着部３３が四周連続し、第１気密材２０が装着される。
前記第２蓋体１４は、図４と図６に示すように、第１蓋体１３の第１蓋体本体３０の下面３０ａに一体に設けた第２蓋体本体３４、この第２蓋体本体３４の長手方向両端面に取付けた第２端面板３５で中空部３６を有する形状で、この第２蓋体本体３４の室外側部と第２端面板３５の室外側部に第２気密材装着部３７（たとえば、あり溝）を有し、この各第２気密材装着部３７は四周連続し、前記第２気密材２１が装着される。
【００２１】
なお、第２蓋体本体３４を第１蓋体本体３０と別体とし、その第２蓋体本体３４を第１蓋体本体３０にボルトなどで固着しても良い。つまり、第１蓋体１３に第２蓋体１４を一体的に設ければ良い。
【００２２】
以上の実施の形態ではカーテンウオールの枠材に換気装置を設けたが、サッシ窓を形成する上枠、下枠、縦枠、上框、下框などの枠材に前述と同様に換気装置を設けることができる。
また、建物の外壁に前述と同様に換気装置を設けることができる。
すなわち、本発明に係る換気装置は、室内と室外を連通する空気流通経路と、この空気流通経路に設けた流通方向に離隔した第１・第２流通口と、第１流通口を開閉する第１蓋体と、この第１蓋体に一体的に設けられ第２流通口を開閉する第２蓋体を具備したものである。
【００２３】
【発明の効果】
請求項１に係る発明によれば、第１・第２蓋体で空気流通経路の第１・第２流通口を開放することで室内と室外に空気が流通して換気できる。
前記第１・第２流通口が流通方向に離隔しているので、その第１・第２流通口を第１・第２蓋体で閉じることによって空気流通経路の流通方向に離隔した２ヶ所が遮断されるから、遮音性、気密性、断熱性が優れた換気装置である。
また、第１蓋体に第２蓋体を一体的に設けたので、その第１蓋体を揺動自在に取付ければ良く、単純構造で、容易に製造できてコストが安い換気装置である。
【００２４】
請求項２に係る発明によれば、第１・第２蓋体で流通孔の第１・第２流通口を開放することで室内と室外に空気が流通して換気できる。
前記第１・第２流通口が流通方向に離隔しているので、その第１・第２流通口を第１・第２蓋体で閉じることによって流通孔の流通方向に離隔した２ヶ所が遮断されるから、遮音性、気密性、断熱性が優れた換気装置である。
また、第１蓋体に第２蓋体を第１蓋体と同一方向に揺動するように一体的に設けたので、その第１蓋体を本体に揺動自在に取付ければ良く、単純構造で、容易に製造できてコストが安い換気装置である。
【００２５】
また、枠材に換気孔を形成すると共に、換気ユニットを取付けることで、その枠材に換気装置を設けることができ、カーテンウオールの上枠、下枠、無目やサッシ窓の上枠、下枠、框などに換気装置を簡単に設けることができる。
【図面の簡単な説明】
【図１】カーテンウオールユニットの外観図である。
【図２】図１の縦断面図である。
【図３】図１の横断面図である。
【図４】下枠部分の拡大詳細断面図である。
【図５】図４のＡ−Ａ断面図である。
【図６】図４のＢ−Ｂ断面図である。
【符号の説明】
５…下枠（枠材）、９…換気孔（空気流通経路）、１０…換気ユニット、１１…流通孔（空気流通経路）、１２…本体、１３…第１蓋体、１４…第２蓋体、１５…第１流通口、１６…第２流通口、２０…第１気密材、２１…第２気密材。
【図１】
2005009138.tif 000003
【図２】
2005009138.tif 000004
【図３】
2005009138.tif 000005
【図４】
2005009138.tif 000006
【図５】
2005009138.tif 000007
【図６】
2005009138.tif 000008